(57)【特許請求の範囲】
【請求項１】
冊子の表紙，背表紙，裏表紙を覆う冊子カバーであって、
一端側が、前記表紙又は背表紙のいずれか一方の表紙の側端に沿って折り返され、他端側が、前記表紙又は背表紙の他方の表紙側に達する長さを有するカバー本体と、
略方形状であって、その一辺が、前記他方の表紙の側端を差し込み可能な開口に形成された平袋状の袋体と、
を備えており、
前記カバー本体の他端側と前記袋体が、前記他方の表紙側において重なり合う部分を有しており、
前記カバー本体の他端側を、前記他方の表紙の側端に対して平行に折り曲げて形成される第１の係合部と、
前記袋体の内側に、その開口の一方の縁に沿って形成され、前記第１の係合部と係合可能な第２の係合部と、
を有することを特徴とする冊子カバー。
【請求項２】
前記カバー本体の一端側の折り返し部を、前記一方の表紙の側端を差し込む開口を有する袋状に形成したことを特徴とする請求項１記載の冊子カバー。
【請求項３】
前記カバー本体と前記袋体を、異なる素材で形成したことを特徴とする請求項１又は２記載の冊子カバー。
【請求項４】
前記カバー本体の縦方向の長さが、前記冊子の縦方向の長さとほぼ同じであることを特徴とする請求項１〜３のいずれか一項に記載の冊子カバー。
【発明の詳細な説明】
【技術分野】
【０００１】
本発明は、本や手帳などの冊子用のカバーに関し、更に具体的には、冊子類の厚みの変化に対応可能な冊子カバーに関するものである。
【背景技術】
【０００２】
異なる厚みの本に対応可能なブックカバーとしては、例えば、下記特許文献１に記載のブックカバーがある。当該特許文献１によれば、ブックカバーは、表表紙を入れるポケットを持った本体Ａ部と、裏表紙を入れるポケットを持った本体Ｂ部の二体からなり、本体Ａ部に作られた連結部が、本体Ｂ部側に作られた挿入穴に挿入されて、一体化するとともに、厚み調整幅だけスライドすることにより、カバー総長を可変とし、異なる本の厚さに対応する構成となっている。
【先行技術文献】
【特許文献】
【０００３】
【特許文献１】特開２０１０−１６２８５５号公報
【発明の概要】
【発明が解決しようとする課題】
【０００４】
前記特許文献１に記載の技術では、可変範囲を制限するとともに、本体Ａ部と本体Ｂ部との分離を防ぐためのストッパーが連結部に設けられている。前記ストッパーは、前記連結部の両端に形成されているため、同文献の第１図に示すように、本体Ａ部の連結部側の形状がやや複雑になる。また、同文献の第４図，第５図に示すように、連結部分を外側からみると、直線状ではなく、曲線部分が外側に露出しているため、その部分が捲れやすいなどの課題がある。
【０００５】
本発明は、以上のような点に着目したもので、簡単な構成で、冊子の厚みに合わせて装着でき、冊子類から脱落しにくく、装着時の見栄えもよい冊子カバーを提供することを、その目的とする。
【課題を解決するための手段】
【０００６】
本発明は、冊子の表紙，背表紙，裏表紙を覆う冊子カバーであって、一端側が、前記表紙又は背表紙のいずれか一方の表紙の側端に沿って折り返され、他端側が、前記表紙又は背表紙の他方の表紙側に達する長さを有するカバー本体と、略方形状であって、その一辺が、前記他方の表紙の側端を差し込み可能な開口に形成された平袋状の袋体と、を備えており、前記カバー本体の他端側と前記袋体が、前記他方の表紙側において重なり合う部分を有しており、前記カバー本体の他端側を、前記他方の表紙の側端に対して平行に折り曲げて形成される第１の係合部と、前記袋体の内側に、その開口の一方の縁に沿って形成され、前記第１の係合部と係合可能な第２の係合部と、を有することを特徴とする。
【０００７】
主要な形態の一つは、前記カバー本体の一端側の折り返し部を、前記一方の表紙の側端を差し込む開口を有する袋状に形成したことを特徴とする。他の形態の一つは、前記カバー本体と前記袋体を、異なる素材で形成したことを特徴とする。更に他の形態としては、前記カバー本体の縦方向の長さが、前記冊子の縦方向の長さとほぼ同じであることを特徴とする。本発明の前記及び他の目的，特徴，利点は、以下の詳細な説明及び添付図面から明瞭になろう。
【発明の効果】
【０００８】
本発明によれば、冊子の表紙，背表紙，裏表紙を覆う冊子カバーを、一端側が、前記表紙又は背表紙のいずれか一方の表紙の側端に沿って折り返され、他端側が、前記表紙又は背表紙の他方の表紙側に達する長さを有するカバー本体と、略方形状であって、その一辺が、前記他方の表紙の側端を差し込み可能な開口に形成された平袋状の袋体とにより構成する。そして、前記袋体を、前記他方の表紙とカバー本体の他端側に被せることとしたので、簡単な構成でありながら、カバー本体の一端側の折り返し位置の調節により、異なる厚みの冊子に装着でき、前記カバー本体の他端側を、前記他方の表紙の側端に対して平行に折り曲げて形成される第１の係合部と、前記袋体の内側に、その開口の一方の縁に沿って形成され、前記第１の係合部と係合可能な第２の係合部とを設けたので、冊子からも脱落しにくいという効果がある。
【図面の簡単な説明】
【０００９】
【図１】本発明の実施例１を示す図であり、(A)は装着の様子を示す外観斜視図，(B)はカバー装着後の様子を示す外観斜視図，(C)は表紙とブックカバーの重なり状態を示す断面図，(D)は本実施例のブックカバーを、カバー本体と袋体に分けた状態を示す図である。
【図２】本発明の他の実施例を示す図である。
【発明を実施するための形態】
【００１０】
以下、本発明を実施するための最良の形態を、実施例に基づいて詳細に説明する。
【実施例１】
【００１１】
最初に、図１を参照しながら本発明の実施例１を説明する。図１(A)は、本実施例のブックカバーの装着の様子を示す外観斜視図，図１(B)はブックカバー装着後の様子を示す外観斜視図，(C)は表紙とブックカバーの重なり状態を示す断面図，図１(D)は本実施例のブックカバーをカバー本体と袋体に分けた状態を示す図である。
【００１２】
図１(A)〜(D)に示すように、本実施例のブックカバー１０は、カバー本体１２と、袋体２０により構成されている。前記カバー本体１２は、図１(D)に示すように、縦方向に所定の長さＬ１を有する略帯状であって、例えば、紙などによって形成されている。前記長さＬ１は、本５０の縦方向の長さＬ３（図１(A)参照）とほぼ同じである。一般に、書籍類は、縦と横の寸法が同じであっても、厚みが異なることが多い。従って、書籍のサイズ（例えば、文庫サイズ，単行本サイズなど）に合わせて長さＬ１を設定すればよい。一方、前記カバー本体１２の横方向の長さは、本５０の表紙（表表紙）５２，背表紙５４，裏表紙５６をほぼ覆うことができる寸法に設定されている。
【００１３】
本実施例では、前記カバー本体１２の一方の端部１２Ａ側を、本５０の裏表紙５６の側端５６Ａに沿って、折り曲げ線１５（図１(D)参照）に沿って折り曲げ、折り曲げ部１４を、裏表紙５６の内側に当てる。この状態で、他方の端部１２Ｂが、本５０の表紙５２の側端５２Ａ近傍に達する長さに設定されている。なお、カバー本体１２の横方向の寸法については、本５０の厚さ、折り曲げ部１４の幅、後述する袋体２０の幅によって必要な長さが変わってくる。具体的には、前記折り曲げ部１４を裏表紙５６の内側に当てた状態で、端部１２Ｂ側が、表紙５２の表側において、前記袋体２０と重なり合うことができればよい。本実施例では、前記カバー本体１２の端部１２Ｂ側は、表紙５２の側端５２Ａに対して略平行となるように、折り曲げ線１７（図１(D)参照）に沿って折り曲げられ、折り曲げ部１６を形成する。該折り曲げ部１６の折り曲げ方向は、他方の端部１２Ａ側の折り曲げ部１４と逆向きである。
【００１４】
次に、前記袋体２０は、略方形状であって、その一辺が、前記本５０の表紙５２の側端５２Ａ側を差し込み可能な開口２２に形成された平袋状となっている。前記袋体２０を装着すると、前記カバー本体１２と、図１(B)及び(C)に示すように重なり合う。該袋体２０の縦方向の長さＬ２は、前記表紙５２とカバー本体１２を重ねた状態で収納することができるように、前記表紙５２の長さＬ３よりも若干大きく設定されている。また、本実施例では、前記袋体２０の内側には、前記開口２２の一辺に沿って、所定の幅を有する係合片２４が形成されている。該係合片２４は、前記袋体２０を本５０に装着したときに、前記カバー本体１２の折り曲げ部１６と係合可能となっている。このため、装着中に、袋体２０が、本５０の側端５２Ａ側にずれたとしても、前記係合片２４と折り曲げ部１６が係合するため脱落しない。なお、図示の例では、本５０の表紙５２側に袋体２０を被せることとしたが、該表紙５２の側端５２Ａに、カバー本体１２の端部１２Ｂ側を折り曲げて被せ、裏表紙５６側に前記袋体２０を被せるようにしてもよい。
【００１５】
このように、実施例１によれば、次のような効果がある。
(1)ブックカバー５０を、一方の端部１２Ａ側が、裏表紙５６の側端５６Ａに沿って折り返され、他方の端部１２Ｂ側が、表紙５２の側端５２Ａ近傍に達する長さを有するカバー本体１２と、略方形状であって、その一辺が、前記表紙側端５２Ａを差し込み可能な開口２２に形成された平袋状の袋体２０により構成することとした。このため、カバー本体１２の端部１２Ａの折り返し位置を調整し、前記袋体２０を、前記表紙５２とカバー本体端部１２Ｂ側に被せることで、簡単な構成でありながら、本５０の厚みに対応して調節ができる。また、袋体２０が端部１２Ｂ側に被せられるので、本５０から脱落しにくく、見栄えもよい。
(2)前記カバー本体１２の端部１２Ｂ側を、本５０の表紙側端５２Ａに対して平行に折り曲げて折り曲げ部１６を形成し、前記袋体２０の内側には、前記開口２２の一方の縁に沿って、前記折り曲げ部１６と係合可能な係合片２４を設けることとした。このため、ブックカバー１０の装着中に袋体２０がずれても、本５０から脱落しにくいという効果がある。
【００１６】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。
(2)前記実施例で示した材質も一例であり、皮，布，樹脂などの公知の素材を用いてブックカバー１０を形成してもよい。また、ブックカバー１０のカバー本体１２と袋体２０とで異なる素材を用いてもよい。
(3)前記実施例では、カバー本体１２の端部１２Ａ側は、折り返すだけの構成としたが、図２(A)に示すブックカバー３０のように、カバー本体端部１２Ａ側の折り曲げ部１４の上縁１４Ａと下縁１４Ｂを閉じて開口３２を形成し、袋状にしてもよい。この場合、袋体２０の幅を同図に破線で示すように広くとり、カバー本体１２の端部１２Ｂ側との重なり部分を多く確保することで、本５０の厚みが異なる場合に対応可能である。
(4)前記実施例では、カバー本体１２と、袋体２０が係合可能な構成としたが、これも一例であり、図２(B)に示すブックカバー４０のように、カバー本体１２の端部１２Ｂ側を折り曲げず、開口４４のみを有する平袋状の袋体４２を被せるだけの構成としてもよい。この場合、カバー本体１２や袋体４２を、滑りにくい素材を用いて形成することで、脱落しにくくすることができる。
(5)本発明のブックカバーを、ノートや手帳などの冊子類に適用することを妨げるものではない。
【産業上の利用可能性】
【００１７】
本発明によれば、一端側が、冊子の表紙又は背表紙のいずれか一方の表紙の側端に沿って折り返され、他端側が、前記表紙又は背表紙の他方の表紙側に達する長さを有するカバー本体と、略方形状であって、その一辺が、前記他方の表紙の側端を差し込み可能な開口に形成された平袋状の袋体とによりカバーを構成する。そして、前記袋体を、前記他方の表紙とカバー本体の他端側に被せて装着することとした。このため、簡単な構成でありながら、前記カバー本体の一端側の折り返し位置の調節により、異なる厚みの冊子に装着でき、前記カバー本体の他端側を、前記他方の表紙の側端に対して平行に折り曲げて形成される第１の係合部と、前記袋体の内側に、その開口の一方の縁に沿って形成され、前記第１の係合部と係合可能な第２の係合部とを設けたので、脱落もしにくいことから、冊子類のカバーの用途に適用できる。
【符号の説明】
【００１８】
１０：ブックカバー
１２：カバー本体
１２Ａ，１２Ｂ：端部
１４，１６：折り曲げ部
１４Ａ：上縁
１４Ｂ：下縁
１５，１７：折り曲げ線
２０：袋体
２２：開口
２４：係合片
３０：ブックカバー
３２：開口
４０：ブックカバー
４２：袋体
４４：開口
５０：本
５２：表紙（表表紙）
５２Ａ：側端
５４：背表紙
５６：裏表紙
５６Ａ：側端
【図１】
0006411081.tif 000002
【図２】
0006411081.tif 000003